(57)【特許請求の範囲】
【請求項１】
白色系の第１の光と橙色系の第２の光とを発する光源と、
前記第１の光と前記第２の光との合成光の明るさが暗くなるにしたがって前記合成光の色温度が低くなるように、前記光源を調光する調光部と
を備え、
前記調光部は、前記第１の光の明るさが暗くなるにしたがって前記第２の光の明るさが暗くなり、かつ、前記第１の光の明るさが暗くなるにしたがって前記第２の光の明るさの変化率が大きくなるように、前記光源を調光する照明装置。
【請求項２】
前記調光部は、前記合成光の明るさが暗くなるにしたがって前記合成光の色温度の変化率が大きくなるように、前記光源を調光する請求項１に記載の照明装置。
【請求項３】
前記調光部は、前記合成光の明るさと色温度との関係が白熱灯の明るさと色温度との関係と同じになるように、前記光源を調光する請求項１又は２に記載の照明装置。
【請求項４】
前記調光部は、前記第１の光の明るさが暗くなるにしたがって一定の変化率で小さくなる変数をｒとし、前記第２の光の明るさがｒの平方根√ｒと等しくなるように、前記光源を調光する請求項１から３のいずれか１項に記載の照明装置。
【請求項５】
白色系の光である第１光色光と、橙色系の光である第２光色光との合成光の明るさが暗くなるにしたがって前記合成光の色温度が低くなるように、前記第１光色光と前記第２光色光とを調光する調光部を備え、
前記調光部は、前記第１光色光の明るさが暗くなるにしたがって前記第２光色光の明るさが暗くなり、かつ、前記第１光色光の明るさが暗くなるにしたがって前記第２光色光の明るさの変化率が大きくなるように、前記第１光色光と前記第２光色光とを調光する照明装置。
【発明の詳細な説明】
【技術分野】
【０００１】
本発明は、主光源にＬＥＤを使用した照明装置に関するものである。特に、既存白熱電球を用いて連続調光を行っていた場所での照明のリニューアルや、白熱電球の雰囲気が望まれる場所への照明の設置等を目的とした照明装置に関するものである。
【背景技術】
【０００２】
昨今、照明器具の主光源がＬＥＤに急速に移行しつつある。同時に日本では国の要請により各メーカが続々と白熱電球の生産事業から撤退している。このことから、白熱電球の代替品としてＬＥＤが期待されている。ところが、白熱電球が全光点灯のときと同等の色温度を再現したＬＥＤは各メーカから多数発売されているが、白熱電球の特徴の１つである、暗くなると同時に色温度も低くなる特性を再現できているものは非常に少ない。白熱電球は古くは１９世紀から世の中に出ており、また発光の原理上放射光の分光分布が黒体放射に近く、太陽の下で長年生活してきた人にとって違和感が少ない照明であることは周知の事実であり、これをＬＥＤで安価に再現することが望まれている。
【０００３】
単色ＬＥＤ素子と白色ＬＥＤ素子を搭載し、それぞれの素子群を独立に配線したことを特徴とするＬＥＤモジュールがある（例えば、特許文献１参照）。
【先行技術文献】
【特許文献】
【０００４】
【特許文献１】特開２００５−１００７９９号公報
【特許文献２】特開２０１０−１７６９８５号公報
【特許文献３】特開２００８−５０５４３３号公報
【特許文献４】特開２０１０−１９２８４２号公報
【発明の概要】
【発明が解決しようとする課題】
【０００５】
従来技術では、幅広い色温度の調節ができるようになっているものの、各ＬＥＤの光を合成した光の明るさの増減と色温度の調節を同時に行うことはできなかった。そのため、各ＬＥＤの明るさを増減させるだけで、白熱電球の特徴の１つである、暗くなると同時に色温度も低くなる特性を再現することはできなかった。
【０００６】
本発明は、例えば、合成光の明るさを増減させるだけで、暗くなると同時に色温度も低くなる特性を得ることを目的とする。
【課題を解決するための手段】
【０００７】
本発明の一の態様に係る照明装置は、
白色系の第１の光と橙色系の第２の光とを発する光源と、
前記第１の光と前記第２の光との合成光の明るさが暗くなるにしたがって前記合成光の色温度が低くなるように、前記光源を調光する調光部とを備え、
前記調光部は、前記第１の光の明るさが暗くなるにしたがって前記第２の光の明るさが暗くなり、かつ、前記第１の光の明るさが暗くなるにしたがって前記第２の光の明るさの変化率が大きくなるように、前記光源を調光する。
【発明の効果】
【０００８】
本発明の一の態様によれば、合成光の明るさを増減させるだけで、暗くなると同時に色温度も低くなる特性を得ることが可能となる。
【図面の簡単な説明】
【０００９】
【図１】実施の形態１に係る照明装置の構成を示す回路図。
【図２】（表１）温白色ＬＥＤの色温度と明るさの対比表、（表２）白熱電球の色温度と明るさの対比表。
【図３】（表３）橙色ＬＥＤのみの明るさを可変とした場合の色温度と明るさの対比表。
【図４】（表４）実施の形態１に係る温白色ＬＥＤのみの明るさを可変とした場合の色温度と明るさの対比表。
【図５】（表５）実施の形態２に係る温白色ＬＥＤと橙色ＬＥＤの双方の明るさを可変とした場合の色温度と明るさの対比表。
【図６】（表６）実施の形態３に係る温白色ＬＥＤと橙色ＬＥＤの双方の明るさを可変とした場合の色温度と明るさの対比表。
【図７】（表７）実施の形態４に係る温白色ＬＥＤと橙色ＬＥＤの双方の明るさを可変とした場合の色温度と明るさの対比表。
【図８】色温度を縦軸、明るさを横軸にした、表１と表２に対応するグラフ。
【図９】色温度を縦軸、明るさを横軸にした、表３と表２に対応するグラフ。
【図１０】色温度を縦軸、明るさを横軸にした、表４と表２に対応するグラフ。
【図１１】色温度を縦軸、明るさを横軸にした、表５と表２に対応するグラフ。
【図１２】色温度を縦軸、明るさを横軸にした、表６と表２に対応するグラフ。
【図１３】色温度を縦軸、明るさを横軸にした、表７と表２に対応するグラフ。
【発明を実施するための形態】
【００１０】
以下、本発明の実施の形態について、図を用いて説明する。
【００１１】
実施の形態１．
図１は、本実施の形態に係る照明装置１０の構成を示す回路図である。
【００１２】
図１において、照明装置１０は、ＬＥＤ点灯装置１０ａと、第１ＬＥＤ２５と、第２ＬＥＤ２６を備える。ＬＥＤ点灯装置１０ａは、調光部の例であり、第１ＬＥＤ２５及び第２ＬＥＤ２６を点灯させ、また、第１ＬＥＤ２５及び第２ＬＥＤ２６を調光する。第１ＬＥＤ２５は、色温度が２５００Ｋ（ケルビン）以上かつ５０００Ｋ以下の光を発する。本実施の形態では、第１ＬＥＤ２５の例として、色温度が３５００ＫのＬＥＤ、即ち、温白色ＬＥＤが４つ直列接続されている。第２ＬＥＤ２６は、ピーク波長が５７０ｎｍ（ナノメートル）以上かつ８３０ｎｍ以下の光を発する。ここでは、第２ＬＥＤ２６の例として、ピーク波長が６００ｎｍの単色ＬＥＤ、即ち、橙色ＬＥＤが４つ直列接続されている。なお、第１ＬＥＤ２５及び第２ＬＥＤ２６の実装数は、それぞれ３つ以下でもよいし、５つ以上でもよい。
【００１３】
ＬＥＤ点灯装置１０ａは、ダイオードブリッジ１１と、昇圧回路１５と、第１定電流出力回路１７ａと、第２定電流出力回路１７ｂと、調光制御部３１と、調光コントローラ３２を備える。ダイオードブリッジ１１は、商用電源ＡＣからの交流電圧を整流して脈流電圧を生成する。昇圧回路１５は、ダイオードブリッジ１１に接続され、ダイオードブリッジ１１で生成された脈流電圧を昇圧するとともに平滑して直流電圧を出力する。第１定電流出力回路１７ａは、昇圧回路１５に接続され、昇圧回路１５から出力された直流電圧により定電流を生成して第１ＬＥＤ２５に出力する。即ち、第１定電流出力回路１７ａは、第１ＬＥＤ２５に電力を供給する。第２定電流出力回路１７ｂは、第１定電流出力回路１７ａと同様に、昇圧回路１５に接続され、昇圧回路１５から出力された直流電圧により定電流を生成して第２ＬＥＤ２６に出力する。即ち、第２定電流出力回路１７ｂは、第２ＬＥＤ２６に電力を供給する。調光制御部３１は、第１定電流出力回路１７ａと第２定電流出力回路１７ｂを制御する。調光コントローラ３２は、調光制御部３１に調光信号を出力する。
【００１４】
昇圧回路１５は、ダイオードブリッジ１１に接続されるコイル１３と、コイル１３に接続されるダイオード１４及びＭＯＳＦＥＴ１８と、ダイオード１４の出力側に接続される電解コンデンサ１６と、ＭＯＳＦＥＴ１８のスイッチングを制御する力率改善制御部１２を備える。昇圧回路１５は、力率改善制御部１２によりＭＯＳＦＥＴ１８をスイッチングさせて、コイル１３の自己誘導により、ダイオードブリッジ１１から入力される電圧を昇圧する。そして、昇圧回路１５は、昇圧した電圧を、ダイオード１４を介して電解コンデンサ１６により平滑して出力する。
【００１５】
第１定電流出力回路１７ａは、ＭＯＳＦＥＴ１９と、ＭＯＳＦＥＴ１９に接続されるダイオード２３及びコイル２４と、コイル２４に接続される電解コンデンサ２９と、ＭＯＳＦＥＴ１９のスイッチングを制御する第１制御部２１を備える。第１定電流出力回路１７ａは、バックコンバータ方式により、電解コンデンサ２９に並列に接続される第１ＬＥＤ２５に定電流を出力する。
【００１６】
第２定電流出力回路１７ｂは、ＭＯＳＦＥＴ２０と、ＭＯＳＦＥＴ２０に接続されるダイオード２７及びコイル２８と、コイル２８に接続される電解コンデンサ３０と、ＭＯＳＦＥＴ２０のスイッチングを制御する第２制御部２２を備える。第２定電流出力回路１７ｂは、バックコンバータ方式により、電解コンデンサ３０に並列に接続される第２ＬＥＤ２６に定電流を出力する。
【００１７】
調光制御部３１は、調光コントローラ３２から出力される調光信号を入力し、入力した調光信号に基づいて、第１定電流出力回路１７ａ、第２定電流出力回路１７ｂの出力電流を調整するための出力制御信号を、第１制御部２１、第２制御部２２に出力する。調光制御部３１には、第１ＬＥＤ２５及び第２ＬＥＤ２６の明るさ及び色温度を制御するためのアルゴリズムが組み込まれている。調光制御部３１は、このアルゴリズムに基づいて、第１定電流出力回路１７ａ及び第２定電流出力回路１７ｂの出力電流を制御することで、第１ＬＥＤ２５及び第２ＬＥＤ２６の明るさ及び色温度を、白熱電球の明るさ及び色温度に近い特性で制御する。調光制御部３１は、例えばマイクロコンピュータで実装でき、この場合、上記アルゴリズムは、マイクロコンピュータで実行されるソフトウェアに組み込むことができる。
【００１８】
調光制御部３１に組み込まれているアルゴリズムでは、色温度の計算手法として、相関色温度の簡便な求め方を用いる。
【００１９】
相関色温度はＣＩＥ・１９６０・ｕｖ色度図で定められている。色度座標ｕ，ｖは、三刺激値Ｘ，Ｙ，Ｚから、
ｕ＝４Ｘ／（Ｘ＋１５Ｙ＋３Ｚ）
ｖ＝６Ｙ／（Ｘ＋１５Ｙ＋３Ｚ）
で求めることができる。ｕｖ色度図に黒体軌跡を描くと、相関色温度は、黒体軌跡と直交する直線（等色温度線）により定めることができる。しかしながら、色度座標ｕ，ｖは、現在ではあまり使用されていない。
【００２０】
色度座標ｘ，ｙから相関色温度Ｔを求める近似式として、次式が提案されている（ＭｃＣａｍｙ，１９９２）。
Ｔ＝−４３７ｎ３＋３６０１ｎ２−６８６１ｎ＋５５１４．３１
ここで、
ｎ＝（ｘ−０．３３２０）／（ｙ−０．１８５８）
である。
【００２１】
上記の式により、第１ＬＥＤ２５及び第２ＬＥＤ２６のデータシートに記載されている色度座標ｘ，ｙの値と、第１ＬＥＤ２５及び第２ＬＥＤ２６の明るさ比率から容易に色温度を算出することができる。例えば、第１ＬＥＤ２５の色度座標（ｘ，ｙ）＝（０．３９０３，０．３８２６）、第２ＬＥＤ２６の色度座標（ｘ，ｙ）＝（０．５６２５，０．４３）、第１ＬＥＤ２５の光出力（調光度、明るさ）を１００％、第２ＬＥＤ２６の光出力を３７％とする。この場合、照明装置１０（第１ＬＥＤ２５及び第２ＬＥＤ２６の合成光）の色度座標（ｘ，ｙ）＝（０．４３６８０７，０．３９５４０１）となるから、ｎ＝０．５０００２８である。よって、照明装置１０の色温度Ｔ＝２９２９．３３５［Ｋ］となる。
【００２２】
図２に、表１として、温白色ＬＥＤの色温度と明るさの対比表を、表２として、白熱電球の色温度と明るさの対比表を示す。また、図８に、色温度を縦軸、明るさを横軸にした、表１と表２に対応するグラフを示す。
【００２３】
表１は、本実施の形態で第１ＬＥＤ２５として使用する温白色ＬＥＤ単体の色温度と明るさの特性を示したものである。表２は、白熱電球の色温度と明るさの特性を示したものである。図８は、表１と表２を縦軸が色温度、横軸が明るさとなるようにグラフで表したものである。
【００２４】
図８を見ると明らかなように、明るさが暗くなっていくにしたがってＬＥＤと白熱電球の色温度の乖離が大きくなっていく。これが白熱電球からＬＥＤへと切り替えた際の違和感につながっている。
【００２５】
図３に、表３として、照明装置１０と同様の構成で橙色ＬＥＤのみの明るさを可変とした場合の色温度と明るさの対比表を示す。また、図９に、色温度を縦軸、明るさを横軸にした、表３と表２に対応するグラフを示す。
【００２６】
表３は、色温度を可変とすべく、本実施の形態で第１ＬＥＤ２５として使用する温白色ＬＥＤを固定出力とし、本実施の形態で第２ＬＥＤ２６として使用する橙色ＬＥＤを可変出力とした場合の色温度と明るさの特性を示したものである。図９は、表３と表２を縦軸が色温度、横軸が明るさとなるようにグラフで表したものである。
【００２７】
図９を見ると明らかなように、温白色ＬＥＤの光出力を固定とし、橙色ＬＥＤの光出力を可変とした場合、制御がうまくいかない。これでは白熱電球からＬＥＤへと切り替えた際の違和感を解消することが難しい。
【００２８】
図４に、表４として、温白色ＬＥＤのみの明るさを可変とした、本実施の形態に係る照明装置１０の色温度と明るさの対比表を示す。また、図１０に、色温度を縦軸、明るさを横軸にした、表４と表２に対応するグラフを示す。
【００２９】
表４は、本実施の形態で第１ＬＥＤ２５として使用する温白色ＬＥＤを可変出力とし、本実施の形態で第２ＬＥＤ２６として使用する橙色ＬＥＤを固定出力とした照明装置１０の色温度と明るさの特性を示したものである。図１０は、表４と表２を縦軸が色温度、横軸が明るさとなるようにグラフで表したものである。
【００３０】
本実施の形態において、ＬＥＤ点灯装置１０ａの調光制御部３１は、調光コントローラ３２から調光度Ｌ［％］（５≦Ｌ≦１００）を指令する調光信号を受信すると、第１ＬＥＤ２５が調光度Ｌに応じた光出力で点灯するように、第１定電流出力回路１７ａを制御する。このとき、調光制御部３１は、第２ＬＥＤ２６が調光度Ｌに関係なく一定の光出力で点灯するように、第２定電流出力回路１７ｂを制御する。即ち、本実施の形態では、調光制御部３１が、照明装置１０の調光度（合成光の目標の明るさ）が小さくなるにしたがって、第１ＬＥＤ２５の光出力が小さくなり、第２ＬＥＤ２６の光出力が一定になるように、第１ＬＥＤ２５及び第２ＬＥＤ２６を調光する。このとき、第１ＬＥＤ２５の光出力の変化率は、調光度の大小に関わらず一定である。また、本実施の形態では、調光制御部３１が、色温度に違和感を与えないようにするため、明るさ５％付近の色温度が白熱電球と同じになるように第１ＬＥＤ２５及び第２ＬＥＤ２６の明るさの制御を行っている。
【００３１】
図１０を見ると明らかなように、本実施の形態によれば、第１ＬＥＤ２５の明るさを増減させるだけで、暗くなると同時に色温度も低くなる特性を実現できる。しかも、本実施の形態では、照明装置１０（合成光）の明るさが暗くなるにしたがって照明装置１０の色温度の変化率が大きくなっている。このため、白熱電球（白熱灯）からＬＥＤへと切り替えた際の違和感を抑えることができる。
【００３２】
なお、本実施の形態では、ＬＥＤ点灯装置１０ａが調光コントローラ３２を内蔵しているが、ＬＥＤ点灯装置１０ａの外部に調光コントローラ３２が備えられてもよい。
【００３３】
また、本実施の形態では、第１ＬＥＤ２５に、色温度が３５００ＫのＬＥＤを用いているが、その他の色温度（例えば、２５００Ｋ〜５０００Ｋの範囲）のＬＥＤを用いてもよい。また、本実施の形態では、第２ＬＥＤ２６に、波長のピークが６００ｎｍの単色ＬＥＤを用いているが、その他の波長（例えば、５７０ｎｍ〜８３０ｎｍの範囲）がピークの単色ＬＥＤを用いてもよい。
【００３４】
以上説明したように、本実施の形態に係る照明装置１０は、光源として、色温度が２５００〜５０００ＫのＬＥＤと、ピーク波長が５７０〜８３０ｎｍの単色ＬＥＤを使用し、明るさと色温度を同時に変化させることを特徴とする。また、照明装置１０は、暗くなるにしたがって色温度が減少することを特徴とする。
【００３５】
上記のような特徴によって、本実施の形態では、各明るさにおける白熱電球の色温度をＬＥＤで安価に再現し、白熱電球から照明装置１０に切り替えても違和感なく使用できることが期待できる。
【００３６】
実施の形態２．
本実施の形態について、主に実施の形態１との差異を説明する。
【００３７】
図１０を見ると、実施の形態１に係る照明装置１０では、明るさ５０％を過ぎたあたりから急激に色温度が低下し始めている。また、実施の形態１に係る照明装置１０と白熱電球とでは、明るさ１００％の際の色温度の差が大きい。
【００３８】
図５に、表５として、温白色ＬＥＤと橙色ＬＥＤの双方の明るさを可変とした、本実施の形態に係る照明装置１０の色温度と明るさの対比表を示す。また、図１１に、色温度を縦軸、明るさを横軸にした、表５と表２に対応するグラフを示す。
【００３９】
表５は、本実施の形態で第１ＬＥＤ２５として使用する温白色ＬＥＤを可変出力とし、同時に、本実施の形態で第２ＬＥＤ２６として使用する橙色ＬＥＤも可変出力とした照明装置１０の色温度と明るさの特性を示したものである。光出力の変化は、どちらのＬＥＤも単調減少となっている。図１１は、表５と表２を縦軸が色温度、横軸が明るさとなるようにグラフで表したものである。
【００４０】
本実施の形態において、ＬＥＤ点灯装置１０ａの調光制御部３１は、調光コントローラ３２から調光度Ｌ［％］（５≦Ｌ≦１００）を指令する調光信号を受信すると、実施の形態１と同様に、第１ＬＥＤ２５が調光度Ｌに応じた光出力で点灯するように、第１定電流出力回路１７ａを制御する。このとき、調光制御部３１は、実施の形態１と異なり、第２ＬＥＤ２６が調光度Ｌに応じた光出力で点灯するように、第２定電流出力回路１７ｂを制御する。即ち、本実施の形態では、調光制御部３１が、照明装置１０の調光度（合成光の目標の明るさ）が小さくなるにしたがって、第１ＬＥＤ２５の光出力が小さくなり、第２ＬＥＤ２６の光出力も小さくなるように、第１ＬＥＤ２５及び第２ＬＥＤ２６を調光する。つまり、調光制御部３１が、第１ＬＥＤ２５の明るさが暗くなるにしたがって第２ＬＥＤ２６の明るさが暗くなるように、第１ＬＥＤ２５及び第２ＬＥＤ２６を調光する。このとき、第１ＬＥＤ２５の光出力の変化率及び第２ＬＥＤ２６の光出力の変化率は、いずれも調光度の大小に関わらず一定である。また、本実施の形態では、調光制御部３１が、色温度に違和感を与えないようにするため、明るさ１００％と明るさ５％付近の色温度が白熱電球と同じになるように第１ＬＥＤ２５及び第２ＬＥＤ２６の明るさの制御を行っている。
【００４１】
図１１を見ると明らかなように、本実施の形態では、実施の形態１のように、明るさ５０％を過ぎたあたりから急激に色温度が低下し始めることが避けられる。また、照明装置１０と白熱電球とで、明るさ１００％の際の色温度の差をなくすことができる。このため、白熱電球からＬＥＤへと切り替えた際の違和感をほとんどなくすことができる。
【００４２】
実施の形態３．
本実施の形態について、主に実施の形態２との差異を説明する。
【００４３】
図１１を見ると、実施の形態２に係る照明装置１０では、明るさ３０％を過ぎたあたりから急激に色温度が低下し始めている。また、明るさ１００〜５０％の部分でほとんど色温度の変化がない。
【００４４】
図６に、表６として、温白色ＬＥＤと橙色ＬＥＤの双方の明るさを可変とした、本実施の形態に係る照明装置１０の色温度と明るさの対比表を示す。また、図１２に、色温度を縦軸、明るさを横軸にした、表６と表２に対応するグラフを示す。
【００４５】
表６は、本実施の形態で第１ＬＥＤ２５として使用する温白色ＬＥＤを可変出力とし、同時に、本実施の形態で第２ＬＥＤ２６として使用する橙色ＬＥＤも可変出力とした照明装置１０の色温度と明るさの特性を示したものである。光出力の変化は、温白色ＬＥＤが単調減少、橙色ＬＥＤが上に凸となるグラフで表せる減少のしかたとなっている。図１２は、表６と表２を縦軸が色温度、横軸が明るさとなるようにグラフで表したものである。
【００４６】
本実施の形態において、ＬＥＤ点灯装置１０ａの調光制御部３１は、調光コントローラ３２から調光度Ｌ［％］（５≦Ｌ≦１００）を指令する調光信号を受信すると、実施の形態２と同様に、第１ＬＥＤ２５が調光度Ｌに応じた光出力で点灯するように、第１定電流出力回路１７ａを制御する。このとき、調光制御部３１は、実施の形態２と異なり、調光度Ｌが低いほど調光度Ｌの変化量に対する第２ＬＥＤ２６の光出力の変化量が大きくなるように、第２定電流出力回路１７ｂを制御する。即ち、本実施の形態では、調光制御部３１が、照明装置１０の調光度（合成光の目標の明るさ）が小さくなるにしたがって、第１ＬＥＤ２５の光出力が小さくなり、第２ＬＥＤ２６の光出力が小さくなるように、第１ＬＥＤ２５及び第２ＬＥＤ２６を調光する。このとき、第１ＬＥＤ２５の光出力の変化率は、実施の形態２と同様に、調光度の大小に関わらず一定であるが、第２ＬＥＤ２６の光出力の変化率は、実施の形態２と異なり、調光度が小さくなるにしたがって高くなる。つまり、調光制御部３１が、第１ＬＥＤ２５の明るさが暗くなるにしたがって第２ＬＥＤ２６の明るさの変化率が大きくなるように、第１ＬＥＤ２５及び第２ＬＥＤ２６を調光する。また、本実施の形態では、調光制御部３１が、色温度に違和感を与えないようにするため、明るさ５％付近の色温度が白熱電球と同じになるように第１ＬＥＤ２５及び第２ＬＥＤ２６の明るさの制御を行っている。さらに、本実施の形態では、調光制御部３１が、明るさ１００〜５０％の部分で色温度がはっきりと変化するように第１ＬＥＤ２５及び第２ＬＥＤ２６の明るさの制御を行っている。
【００４７】
図１２を見ると明らかなように、本実施の形態では、実施の形態２のように、明るさ３０％を過ぎたあたりから急激に色温度が低下し始めることを避けられる。また、明るさ１００〜５０％の部分で色温度を変化させることができる。このため、白熱電球からＬＥＤへと切り替えた際の違和感を抑えることができる。
【００４８】
実施の形態４．
本実施の形態について、主に実施の形態３との差異を説明する。
【００４９】
図１２を見ると、実施の形態３に係る照明装置１０では、実施の形態２ほどではないものの、明るさ３０％を過ぎたあたりからやや急激に色温度が低下し始めている。また、実施の形態３に係る照明装置１０と白熱電球とでは、明るさ１００％の際の色温度の差が生じてしまう。
【００５０】
図７に、表７として、温白色ＬＥＤと橙色ＬＥＤの双方の明るさを可変とした、本実施の形態に係る照明装置１０の色温度と明るさの対比表を示す。また、図１３に、色温度を縦軸、明るさを横軸にした、表７と表２に対応するグラフを示す。
【００５１】
表７は、本実施の形態で第１ＬＥＤ２５として使用する温白色ＬＥＤを可変出力とし、同時に、本実施の形態で第２ＬＥＤ２６として使用する橙色ＬＥＤも可変出力とした照明装置１０の色温度と明るさの特性を示したものである。光出力の変化は、温白色ＬＥＤが単調減少、橙色ＬＥＤが平方根を含んだ式√ｒで表せる減少のしかたとなっている。平方根の中のｒは単調減少となるようにしている。この場合も、橙色ＬＥＤの光出力の変化は、実施の形態３と同様に、上に凸となるグラフで表せる減少のしかたとなっている。図１３は、表７と表２を縦軸が色温度、横軸が明るさとなるようにグラフで表したものである。
【００５２】
本実施の形態において、ＬＥＤ点灯装置１０ａの調光制御部３１は、調光コントローラ３２から調光度Ｌ［％］（５≦Ｌ≦１００）を指令する調光信号を受信すると、実施の形態３と同様に、第１ＬＥＤ２５が調光度Ｌに応じた光出力で点灯するように、第１定電流出力回路１７ａを制御する。このとき、調光制御部３１は、実施の形態３と異なり、第２ＬＥＤ２６が調光度Ｌに応じたｒの平方根√ｒで表される光出力で点灯するように、第２定電流出力回路１７ｂを制御する。即ち、本実施の形態では、調光制御部３１が、照明装置１０の調光度（合成光の目標の明るさ）が小さくなるにしたがって、第１ＬＥＤ２５の光出力が小さくなり、第２ＬＥＤ２６の光出力が小さくなるように、第１ＬＥＤ２５及び第２ＬＥＤ２６を調光する。このとき、第１ＬＥＤ２５の光出力の変化率は、実施の形態３と同様に、調光度の大小に関わらず一定であり、第２ＬＥＤ２６の光出力の変化率も、実施の形態３と同様に、調光度が小さくなるにしたがって高くなる。しかし、本実施の形態では、調光制御部３１が、実施の形態３と異なり、第１ＬＥＤ２５の明るさが暗くなるにしたがって一定の変化率で小さくなる変数をｒとし、第２ＬＥＤ２６の明るさがｒの平方根√ｒと等しくなるように、第１ＬＥＤ２５及び第２ＬＥＤ２６を調光する。
【００５３】
図１３を見ると明らかなように、本実施の形態では、ほとんど白熱電球の色温度に対して似た軌跡を描くことができている。即ち、本実施の形態では、照明装置１０（合成光）の明るさと色温度との関係が白熱電球（白熱灯）の明るさと色温度との関係と略同じになっている。このため、照明装置１０を白熱電球の代替として使用しても違和感がまったくなくなると考えられる。
【００５４】
以上説明したように、本実施の形態に係る照明装置１０は、明るさと色温度の関係が、全光時の色温度が２５００〜４０００Ｋであり、白熱電球の明るさと色温度の関係と略同じであることを特徴とする。
【００５５】
上記のような特徴によって、本実施の形態では、白熱電球から照明装置１０に切り替えても違和感なく使用できることがより一層期待できる。
【符号の説明】
【００５６】
１０  照明装置、１０ａ  ＬＥＤ点灯装置、１１  ダイオードブリッジ、１２  力率改善制御部、１３  コイル、１４  ダイオード、１５  昇圧回路、１６  電解コンデンサ、１７ａ  第１定電流出力回路、１７ｂ  第２定電流出力回路、１８  ＭＯＳＦＥＴ、１９  ＭＯＳＦＥＴ、２０  ＭＯＳＦＥＴ、２１  第１制御部、２２  第２制御部、２３  ダイオード、２４  コイル、２５  第１ＬＥＤ、２６  第２ＬＥＤ、２７  ダイオード、２８  コイル、２９  電解コンデンサ、３０  電解コンデンサ、３１  調光制御部、３２  調光コントローラ、ＡＣ  商用電源。
【図１】
0005926836.tif 000002
【図２】
0005926836.tif 000003
【図３】
0005926836.tif 000004
【図４】
0005926836.tif 000005
【図５】
0005926836.tif 000006
【図６】
0005926836.tif 000007
【図７】
0005926836.tif 000008
【図８】
0005926836.tif 000009
【図９】
0005926836.tif 000010
【図１０】
0005926836.tif 000011
【図１１】
0005926836.tif 000012
【図１２】
0005926836.tif 000013
【図１３】
0005926836.tif 000014